(57)【特許請求の範囲】
【請求項１】
工損調査において調査現場の写真撮影に係る作業を支援するための工損調査支援装置であって、
カメラ及びタッチパネル式ディスプレイを備えた携帯端末装置と、
前記カメラにより撮像し画像を取得する撮像手段と、
前記撮像手段により撮像された撮影画像を前記タッチパネル式ディスプレイに表示する撮影画像表示手段と、
前記タッチパネル式ディスプレイに表示された撮影画像に、当該撮影画像上の撮影対象箇所を指示する指示マークを、当該撮影画像が表示された画像レイヤとは別の指示マーク表示レイヤとして重ねて追加表示する指示マーク表示手段と、
前記タッチパネル式ディスプレイからの入力に従い、選択された前記指示マークの表示位置を移動する指示マーク選択移動手段と、
前記タッチパネル式ディスプレイに表示されている画像レイヤ及び指示マーク表示レイヤを、画像コンテナとして保存する画像コンテナ保存手段と、を備え、
前記指示マーク表示手段は、前記タッチパネル式ディスプレイから指示マーク追加の指示が入力される毎に、既に前記タッチパネル式ディスプレイに表示されている前記指示マークの色とは異なる色の新たな前記指示マークを、前記タッチパネル式ディスプレイの前記指示マーク表示レイヤに追加表示する指示マーク追加手段と、
前記タッチパネル式ディスプレイにおいて、表示されている前記指示マークの何れかを選択された後に、前記タッチパネル式ディスプレイから指示マーク削除の指示が入力されると、選択された前記指示マークを、前記タッチパネル式ディスプレイの前記指示マーク表示レイヤから削除する指示マーク削除手段と、を具備することを特徴とする工損調査支援装置。
【請求項２】
工損調査に係る撮影対象箇所、当該撮影年月日の情報を含む黒板情報を入力する黒板情報入力画面を、前記タッチパネル式ディスプレイに表示し、当該調査情報入力画面により入力される黒板情報を取得する調査情報入力手段と、
前記撮影画像表示手段により前記撮影画像が表示されたとき、当該撮影画像が表示された画像レイヤとは別の黒板情報表示レイヤに電子小黒板を表示し、当該電子小黒板内に前記調査情報入力手段により入力された黒板情報を表示する電子小黒板表示手段と、を備え、
前記画像コンテナ保存手段は、前記タッチパネル式ディスプレイに表示されている画像レイヤ及び指示マーク表示レイヤ並びに黒板情報表示レイヤを、画像コンテナとして保存することを特徴とする請求項１記載の工損調査支援装置。
【請求項３】
カメラ及びタッチパネル式ディスプレイを備えた携帯端末装置に読み込ませて実行することにより、前記携帯端末装置を、請求項１又は２に記載の工損調査支援装置として機能させることを特徴とするプログラム。
【発明の詳細な説明】
【技術分野】
【０００１】
本発明は、工損調査において調査現場の写真撮影等の作業を支援するための工損調査支援装置に関する。
【背景技術】
【０００２】
本発明に関連する先行技術としては、特許文献１〜３に記載のものが公知である。特許文献１には、工事記録写真に必要な工事名、工種、位置等の撮影付属情報の文字等を入力する手段或いは通信手段等により取得した撮影付属情報を記憶する記憶手段と撮影付属情報を表示する表示手段と通信手段を有する携帯電話のような軽量・小型の電子小黒板と、撮影対象とともに電子小黒板の画面に表示した撮影付属情報を文字等が判読できるように時間、場所、明暗等の違いにかかわらず撮影し写真画像として記憶できる手段を有するデジタルカメラによる簡易撮影システムが記載されている。この簡易撮影システムでは、撮影前に電子小黒板に撮影付属情報を表示させ、この電子小黒板を撮影対象の被写域内に配置した状態で、デジタルカメラで撮影するものである。
【０００３】
特許文献２には、撮影された画像の任意の場所に撮影記録文字情報を合成するデジタルカメラであって、前記撮影記録文字情報を入力するためのキーボードと、撮影記録フォーマット記録部と、撮影記録合成部とを備え、撮影時に選択した撮影記録合成部の文字情報と撮影対象画像とを合成して記録することを特徴とする撮影記録入力機能を備えたデジタルカメラが記載されている。このデジタルカメラでは、工事現場を撮影する前に、入力画面に撮影記録フォーマットを表示させ、工事名、工事種別、撮影年月日等の撮影記録情報を入力する。そして、シャッターを押下する前に、撮影対象画像に撮影記録を合成する位置を指定・配置し、シャッターの押下により、雑詠年月日・時間覧を公的標準時間で記録した撮影記録を画像情報に変換し撮影画像と合成して保存するようにしたものである（特許文献２の段落〔００２２〕−〔００２５〕，図３，図４参照）。
【０００４】
特許文献３には、メイン画像を撮影する撮像部と、文字データを入力する文字入力部と、前記文字データの背景となる画像データを記憶する記憶部と、前記画像データと前記文字データとを合成してサブ画像を作るサブ画像作成手段と、前記メイン画像を表示する表示部と、前記表示部に表示されたメイン画像上の任意の位置に前記サブ画像を配置するサブ画像操作手段と、前記メイン画像上に前記サブ画像が配置された状態の画像を記録する記録手段とを備えたことを特徴とするデジタルカメラが記載されている。このデジタルカメラは、撮影前にまず撮影しようとする建築土木工事現場に設置し、当該建築土木工事現場の工事内容を、文字入力部に対して所定のペンを用いて手書き入力する。次に、表示部を見ながら撮影の構図を決め、構図が決まると、メイン画像中にサブ画像（電子小黒板画像）の配置を行う。サブ画像の配置は、パッドを指先でなぞる等によって位置を移動させて行う。そして、シャッター（左スイッチ）を押して撮影し、撮影された画像に前記のサブ画像（電子小黒板画像）を合成して保存するようにしたものである（特許文献３の段落〔００１４〕−〔００１７〕，図４，図５参照）。
【先行技術文献】
【特許文献】
【０００５】
【特許文献１】特開２００９−６５６６８号公報
【特許文献２】特開２００３−９０６７号公報
【特許文献３】特開２０００−２１７０３４号公報
【非特許文献】
【０００６】
【非特許文献１】国土交通省近畿地方整備局用地部，「工損調査等標準仕様書」，［online］，［平成２７年３月１日検索］＜URL：http://www.kkr.mlit.go.jp/land/siyousyo2.html＞
【発明の概要】
【発明が解決しようとする課題】
【０００７】
ところで、工損調査に於いては、建築・建造物の壁面等の亀裂等の調査部位を、撮影対象箇所・撮影年月日等を記入した小黒板を含めた形で写真撮影し、当該写真を証拠写真として保存・提出することが義務づけられている（例えば、非特許文献１，５ページ参照）。この際、写真内の撮影対象箇所を明示するため、撮影対象箇所を指示棒等により指示した状態で撮影することが求められる。
【０００８】
そのため、実際の工損調査現場に於いては、２人の作業者が共同して調査部位の撮影を行い、１人の作業者が指示棒により撮影対象箇所を指し示し、もう１人の作業者が小黒板及び指示棒を含めた形で写真撮影を行う必要がある。そのため、現場では常に２人の作業者が必要となり、作業効率が悪いという問題があった。
【０００９】
そこで、写真撮影において上記特許文献１〜３の技術を適用することが考えられる。しかし、上記特許文献１〜３は、いずれも撮影画像に電子小黒板を合成するものであるため、撮影する作業者とは別に、撮影対象箇所を指示棒により指し示す作業者は依然として必要である。
【００１０】
そこで、本発明の目的は、工損調査の調査部位の記録写真の撮影作業を１人の作業者のみで実施することを可能とする工損調査支援装置を提供することにある。
【課題を解決するための手段】
【００１１】
本発明に係る工損調査支援装置の第１の構成は、カメラ及びタッチパネル式ディスプレイを備えた携帯端末装置と、
前記カメラにより撮像し画像を取得する撮像手段と、
前記撮像手段により撮像された撮影画像を前記タッチパネル式ディスプレイに表示する撮影画像表示手段と、
前記タッチパネル式ディスプレイに表示された撮影画像に、当該画像上の撮影対象箇所を指示する指示マークを、当該撮影画像が表示された画像レイヤとは別の指示マーク表示レイヤとして重ねて追加表示する指示マーク表示手段と、
前記タッチパネル式ディスプレイからの入力に従い、選択された前記指示マークの表示位置を移動する指示マーク選択移動手段と、
前記タッチパネル式ディスプレイに表示されている画像レイヤ及び指示マーク表示レイヤを、画像コンテナとして保存する画像コンテナ保存手段と、を備えたことを特徴とする。
【００１２】
この構成によれば、撮像手段が、調査部位をカメラにより撮像して画像を取得し、撮影画像表示手段がタッチパネル式ディスプレイに表示する。指示マーク表示手段は、タッチパネル式ディスプレイに表示された撮影画像上に、指示マークを指示マーク表示レイヤとして重ねて追加表示し、指示マーク選択移動手段により所望の箇所に指示マークを移動する。そして、画像コンテナ保存手段がタッチパネル式ディスプレイに表示されている画像レイヤ等をマルチレイヤ画像として保存する。これにより、撮影時に撮影者とは別の作業者が支持棒により撮影対象箇所を指し示す必要がなくなる。従って、工損調査の調査部位の記録写真の撮影作業を１人の作業者のみで実施することが可能となる。
【００１３】
本発明に係る工損調査支援装置の第２の構成は、前記第１の構成に於いて、工損調査に係る撮影対象箇所、当該撮影年月日の情報を含む黒板情報を入力する黒板情報入力画面を、前記タッチパネル式ディスプレイに表示し、当該調査情報入力画面により入力される黒板情報を取得する調査情報入力手段と、
前記撮影画像表示手段により前記撮影画像が表示されたとき、当該撮影画像が表示された画像レイヤとは別の黒板情報表示レイヤに電子小黒板を表示し、当該電子小黒板内に前記調査情報入力手段により入力された黒板情報を表示する電子小黒板表示手段と、を備え、
前記画像コンテナ保存手段は、前記タッチパネル式ディスプレイに表示されている画像レイヤ及び指示マーク表示レイヤ並びに黒板情報表示レイヤを、画像コンテナとして保存することを特徴とする。
【００１４】
この構成によれば、電子小黒板表示手段が、撮影画像上に電子小黒板を重ねて表示させ、画像コンテナ保存手段がこの電子小黒板画像もマルチレイヤ画像として保存する。これにより、撮影時に小黒板を現場に置く必要が無く、工損調査の作業効率が向上する。
【００１５】
本発明に係る工損調査支援プログラムは、カメラ及びタッチパネル式ディスプレイを備えた携帯端末装置に読み込ませて実行することにより、前記携帯端末装置を、前記第１又は２の構成の工損調査支援装置として機能させることを特徴とする。
【発明の効果】
【００１６】
以上のように、本発明の工損調査支援装置では、カメラにより撮像され撮像手段により取得された撮影画像を、撮影画像表示手段によりタッチパネル式ディスプレイ３に一旦表示させた後、指示マーク表示手段及び指示マーク選択移動手段によって撮影画像上に指示マークを追加し、これらをマルチレイヤ画像として保存することとしたことで、撮影時に作業者が支持棒により撮影対象箇所を指し示す必要がなくなる。従って、工損調査の調査部位の記録写真の撮影作業を１人の作業者のみで実施することが可能となる。
【００１７】
また、電子小黒板表示手段により撮影画像上に電子小黒板を重ねて表示させ、この電子小黒板画像もマルチレイヤ画像として保存することとしたことで、撮影時に小黒板を現場に置く必要が無く、工損調査の作業効率が向上する。
【図面の簡単な説明】
【００１８】
【図１】本発明の実施例１に係る工損調査支援装置の構成を表すブロック図である。
【図２】図１の工損調査支援装置において、データ記憶部１２、調査情報記憶部２０、及びユーザ情報記憶部２３に保存されるデータのデータ構造を表すＥＲ図（Entity Relationship Diagram）である。
【図３】図１の工損調査支援装置において動作中にタッチパネル式ディスプレイ３に表示される表示画面を表す図である。
【図４】図１の工損調査支援装置において動作中にタッチパネル式ディスプレイ３に表示される表示画面を表す図である。
【図５】図１の工損調査支援装置において動作中にタッチパネル式ディスプレイ３に表示される表示画面を表す図である。
【図６】図１の工損調査支援装置において動作中にタッチパネル式ディスプレイ３に表示される表示画面を表す図である。
【図７】図１の工損調査支援装置において動作中にタッチパネル式ディスプレイ３に表示される表示画面を表す図である。
【発明を実施するための形態】
【００１９】
以下、本発明を実施するための形態について、図面を参照しながら説明する。
【実施例１】
【００２０】
図１は、本発明の実施例１に係る工損調査支援装置の構成を表すブロック図である。本実施例の工損調査支援装置は、カメラ２及びタッチパネル式ディスプレイ３及びＳＤカードドライブ４並びにキーボタン等のキー入力装置（図示せず）を備えた携帯端末装置１により構成されており、この携帯端末装置１において専用のアプリケーション・プログラムを実行させることによって実現されている。携帯端末装置１としては、具体的には、スマートフォン、タブレット、デジタルカメラ等が使用される。
【００２１】
携帯端末装置１は、撮像部１１、データ記憶部１２、撮影画像表示部１３、指示マーク表示部１４、指示マーク選択移動部１５、画像コンテナ保存部１６、ＳＤカード出力部１７、データ送信部１８、調査情報入力部１９、調査情報記憶部２０、電子小黒板表示部２１、ユーザ登録部２２、ユーザ情報記憶部２３、及びログイン処理部２４を備えており、これらの機能構成については、アプリケーション・プログラムによって機能的に実現される。
【００２２】
撮像部１１は、カメラ２により撮像し画像を取得する。データ記憶部１２は、撮像部１１において取得された撮影画像やこれに付随する調査情報等を記憶する。撮影画像表示部１３は、撮像部１１において取得される撮影画像をタッチパネル式ディスプレイ３上に表示する。
【００２３】
指示マーク表示部１４は、タッチパネル式ディスプレイ３に表示された撮影画像に、当該撮影画像上の撮影対象箇所を指示する指示マークを、当該撮影画像が表示された画像レイヤとは別の指示マーク表示レイヤとして重ねて追加表示する。指示マーク選択移動部１５は、タッチパネル式ディスプレイ３からの入力に従い、選択された指示マークの表示位置を移動する処理を行う。
【００２４】
調査情報入力部１９は、工損調査に係る撮影対象箇所、当該撮影年月日の情報を含む調査情報を入力する調査情報入力画面を、タッチパネル式ディスプレイ３に表示し、当該調査情報入力画面により入力される調査情報を取得する。調査情報記憶部２０は、調査情報入力部１９から入力される調査情報を記憶する。電子小黒板表示部２１は、撮影画像表示部１３によりタッチパネル式ディスプレイ３に撮影画像が表示されたとき、当該撮影画像が表示された画像レイヤとは別の調査情報表示レイヤに電子小黒板を表示し、当該電子小黒板内に調査情報を表示する。
【００２５】
画像コンテナ保存部１６は、タッチパネル式ディスプレイ３に表示されている画像レイヤ及び指示マーク表示レイヤ並びに調査情報表示レイヤを、画像コンテナとして、データ記憶部１２に保存する。ＳＤカード出力部１７は、データ記憶部１２に保存された画像コンテナを、暗号化してＳＤカードドライブ４へ出力する。データ送信部１８は、データ記憶部１２に保存された画像コンテナを、インターネット等の通信回線を介して無線接続された管理サーバへ、暗号化して送信する。
【００２６】
ユーザ登録部２２は、本実施例の工損調査支援装置を使用するユーザの登録処理を行う。ユーザ情報記憶部２３は、ユーザ登録部２２により登録されたユーザの情報を記憶する。ログイン処理部２４は、登録されたユーザのログイン処理を行う。
【００２７】
図２は、図１の工損調査支援装置において、データ記憶部１２、調査情報記憶部２０、及びユーザ情報記憶部２３に保存されるデータのデータ構造を表すＥＲ図（Entity Relationship Diagram）である。データ記憶部１２には、撮影された画像ファイルが格納された画像ファイルフォルダ３１、電子小黒板の内容，表示位置，表示サイズ及び向き等の情報が格納される黒板情報テーブル３２、指示マークの表示位置，表示サイズ及び向き等の情報が格納される指示マーク情報テーブル３３が保存されている。調査情報記憶部２０には、工損調査の案件毎の共通情報が格納される調査情報テーブル３５、ある工損調査案件における調査物件毎の共通情報が格納される物件情報テーブル３６、ある工損調査案件のある調査物件における調査対象建物毎の共通情報が格納される建物情報テーブル３７、工損調査における撮影画像ごとに作成する調査票の情報が格納される調査票情報テーブル３８が保存されている。ユーザ情報記憶部２３には、登録されたユーザに関する情報が格納されるユーザ情報テーブル４１が保存されている。各テーブルの具体的なフィールド及びリレーションは、図２に示した通りである。
【００２８】
以上のように構成された本実施例に係る工損調査支援装置において、以下その動作を説明する。図３〜図７は、図１の工損調査支援装置において動作中にタッチパネル式ディスプレイ３に表示される表示画面を表す図である。
【００２９】
まず、ログイン処理部２４は、初期画面として、図３（ａ）に示すようなログイン画面をタッチパネル式ディスプレイ３に表示する。使用者は、既にユーザ登録をしている場合には、タッチパネル式ディスプレイ３よりログインボタン５１を選択する。ログインボタン５１が選択されると、ログイン処理部２４はタッチパネル式ディスプレイ３に図３（ｃ）のようなログイン画面を表示し、使用者からのログイン情報（メールアドレス（ユーザＩＤ）及びパスワード）の入力を待つ。ログイン情報が入力されると、ログイン処理部２４は、ユーザ情報記憶部２３のユーザ情報テーブル４１を参照してユーザの認証を行い、認証された場合には図３（ｄ）の初期メニュー画面を表示する。
【００３０】
一方、ユーザ登録していない使用者は、図３（ａ）のロクイン画面に於いて、タッチパネル式ディスプレイ３よりアカウント登録ボタン５２を選択する。アカウント登録ボタン５２が選択されると、ユーザ登録部２２は、タッチパネル式ディスプレイ３に図３（ｂ）のようなユーザ登録画面を表示し、使用者からのユーザ登録情報（メールアドレス（ユーザＩＤ），パスワード，利用者氏名）の入力と登録ボタン５３のクリックを待つ。登録ボタン５３がクリックされると、ユーザ登録部２２は、ユーザ情報記憶部２３のユーザ情報テーブル４１に入力されたユーザ登録情報を追加登録し、図３（ｄ）の初期メニュー画面を表示する。
【００３１】
図３（ｄ）の初期メニュー画面において、使用者がタッチパネル式ディスプレイ３から調査開始ボタン５４をクリックした場合、調査情報入力部１９は、図４（ａ）の調査情報選択画面を表示する。一方、図３（ｄ）の初期メニュー画面において、使用者がタッチパネル式ディスプレイ３から調査再開ボタン５５をクリックした場合、調査情報入力部１９は、図６の調査票選択画面を表示する。
【００３２】
図４（ａ）の調査情報選択画面においては、調査情報テーブル３５に現在登録されている調査情報の一覧が表示される。ここで、「調査情報」とは、工損調査案件毎に当該工損調査に共通して記録する情報をいい、具体的には、工事名、調査名、調査区分（事前，事中，事後）、請負者、調査者等の情報である。使用者は、調査情報の一覧から、該当する調査案件を選択（リストの各欄の左端に表示された円形のラジオボタン６２をクリックすることによって選択）する。また、該当する調査案件が未登録の場合、使用者は、画面の左下に表示された設定ボタン５７を選択する。設定ボタン５７が選択された場合、調査情報入力部１９は、図４（ｂ）の調査情報入力画面をタッチパネル式ディスプレイ３に表示し、使用者による調査情報の入力を待つ。使用者は、この調査情報入力画面に表示された各欄に、キー入力装置やタッチパネル式ディスプレイ３から調査情報を入力し、保存ボタン５８をクリックする。保存ボタン５８がクリックされると、調査情報入力部１９は入力された調査情報を、調査情報テーブル３５に新規レコードとして登録し、再び図４（ａ）の調査情報選択画面を表示する。
【００３３】
使用者により、図４の画面上部の物件情報ボタン６０がクリックされると、調査情報入力部１９は、タッチパネル式ディスプレイ３に図４（ｃ）の物件情報選択画面を表示する。物件情報選択画面においては、物件情報テーブル３６に現在登録されている物件情報の一覧が表示される。ここで、「物件情報」とは、ある工損調査案件における調査物件毎の共通情報をいい、具体的には、調査名、物件番号、物件の所有者に関する情報等の情報である。使用者は、物件情報の一覧から、該当する物件を選択（リストの各欄の左端に表示された円形のラジオボタン６２をクリックすることによって選択）する。また、該当する物件が未登録の場合、使用者は、画面の左下に表示された設定ボタン５７を選択する。設定ボタン５７が選択された場合、調査情報入力部１９は、図４（ｄ）の物件情報入力画面をタッチパネル式ディスプレイ３に表示し、使用者による物件情報の入力を待つ。使用者は、この物件情報入力画面に表示された各欄に、キー入力装置やタッチパネル式ディスプレイ３を用いて物件情報を入力し、保存ボタン５８をクリックする。保存ボタン５８がクリックされると、調査情報入力部１９は入力された物件情報を、物件情報テーブル３６に新規レコードとして登録し、再び図４（ｃ）の物件情報選択画面を表示する。
【００３４】
使用者により、図４の画面上部の建物情報ボタン６１がクリックされると、調査情報入力部１９は、タッチパネル式ディスプレイ３に図４（ｅ）の建物情報選択画面を表示する。建物情報選択画面においては、建物情報テーブル３７に現在登録されている建物情報の一覧が表示される。ここで、「建物情報」とは、ある工損調査案件のある調査物件における調査対象建物毎の共通情報をいい、具体的には、建物の所有者、建物番号、建物所有地、占有者に関する情報、調査日等の情報である。使用者は、建物情報の一覧から、該当する調査対象の建物を選択（リストの各欄の左端に表示された円形のラジオボタン６２をクリックすることによって選択）する。また、該当する調査対象建物が未登録の場合、使用者は、画面の左下に表示された設定ボタン５７を選択する。設定ボタン５７が選択された場合、調査情報入力部１９は、図４（ｆ）の建物情報入力画面をタッチパネル式ディスプレイ３に表示し、使用者による建物情報の入力を待つ。使用者は、この建物情報入力画面に表示された各欄に、キー入力装置やタッチパネル式ディスプレイ３を用いて建物情報を入力し、保存ボタン５８をクリックする。保存ボタン５８がクリックされると、調査情報入力部１９は入力された建物情報を、建物情報テーブル３７に新規レコードとして登録し、再び図４（ｅ）の物件情報選択画面を表示する。
【００３５】
尚、図４（ａ）（ｃ）（ｅ）の画面上部の調査情報ボタン５９、物件情報ボタン６０、建物情報ボタン６１を使用者がクリックすることで、図４（ａ）（ｃ）（ｅ）の各表示画面を自由に切り替えてタッチパネル式ディスプレイ３上に表示させることができる。尚、調査情報ボタン５９がクリックされると、図４（ａ）の調査情報選択画面が表示される。
【００３６】
調査情報、物件情報、建物情報の全てが選択されると、調査情報入力部１９は、図４（ａ）（ｃ）（ｅ）の画面上部の右端の黒板情報入力ボタン６３を選択可能とする。そして、使用者が、選択可能となった黒板情報入力ボタン６３をクリックすると、調査情報入力部１９は、タッチパネル式ディスプレイ３に図５の黒板情報入力画面を表示する。
【００３７】
黒板情報入力画面は、図５（ａ），（ｂ），（ｃ）の３種類があり、図５（ａ）が標準黒板情報入力画面、図５（ｂ）が傾斜黒板情報入力画面、図５（ａ）が水平黒板情報入力画面である。これらは、画面下部にある標準黒板情報表示ボタン６４、傾斜黒板情報表示ボタン６５、水平黒板情報表示ボタン６６を使用者がクリックすることで、交互に切り替え表示される。
【００３８】
なお、傾斜黒板情報表示ボタン６５は、傾斜測定（柱や敷居などの傾きの経時変化の測定）調査に対応した電子小黒板を表示させる指示を入力するボタンである（非特許文献１の４ページ（第１９条第２項，第５項）等を参照）。水平黒板情報表示ボタン６６は、水準測定（地盤沈下による水準点に対する高さの変化の測定）調査に対応した電子小黒板を表示させる指示を入力するボタンである（非特許文献１の３ページ（第１９条第２項）等を参照）。標準黒板情報表示ボタン６４は、それ以外の一般的な工損調査に対応した電子小黒板を表示させる指示を入力するボタンである。
【００３９】
ここで、「黒板情報」とは、電子小黒板に表示する情報及び撮影する写真上に電子小黒板を表示させる位置、サイズ、向きを指定する情報である。
【００４０】
使用者は、これらの黒板情報入力画面から、キー入力装置やタッチパネル式ディスプレイ３を用いて黒板情報を入力し、画面右上の保存ボタン６７をクリックする。保存ボタン６７がクリックされると、調査情報入力部１９は入力された黒板情報を、黒板情報テーブル３２に新規レコードとして登録し、再び図６の調査票選択画面を表示する。
【００４１】
図６の調査票選択画面においては、調査票情報テーブル３８に登録されている調査票情報のリスト（以下「調査票リスト」という。）が表示される（図６（ａ））。ここで「調査票情報」とは、工損調査において撮影される撮影画像ごとに作成する調査票に記入される情報をいい、具体的には、調査番号、建物番号、写真番号、部屋名称、各部（内壁，天井等）、仕上げ材（モルタル，木材等）、損傷種類（亀裂，剥離等）などの情報である。調査票リストは、使用者がタッチパネル式ディスプレイ３上の調査票リストを指で上下にスワイプ又はフリックすることで、上下方向にスクロールさせることができる。尚、調査票情報テーブル３８に登録されたレコードがない場合には、図６（ｂ）のように、空のリストが表示される。
【００４２】
タッチパネル式ディスプレイ３上に表示される調査票リストの各欄には、左側に撮影画像のサムネイル７０が表示され、その右側に調査票情報の表７１が表示される。また、調査票リストの各欄の下部には、白板修正ボタン７２、再撮影ボタン７３、削除ボタン７４が表示される。
【００４３】
使用者が、調査票リストのある欄の白板修正ボタン７２をクリックすると、調査情報入力部１９は、選択された欄の調査票に係る黒板情報を黒板情報テーブル３２から読み出し、図５の黒板情報入力画面を表示する。これにより、使用者は、当該調査票の電子小黒板の黒板情報の修正を行うことができる。
【００４４】
使用者が、調査票リストのある欄の削除ボタン７４をクリックすると、調査情報入力部１９は、選択された欄の調査票に係る調査表情報のレコードを調査票情報テーブル３８から削除し、選択された欄の調査票に係る撮影画像を画像ファイルフォルダ３１から削除する。
【００４５】
使用者が、調査票リストのある欄の再撮影ボタン７３をクリックすると、調査情報入力部１９は、当該欄の調査票情報レコードを選択中の調査票情報レコードとし、撮像部１１は図７（ａ）の撮影画面をタッチパネル式ディスプレイ３に表示して、選択された欄の調査票に係る撮影画像の再撮影が行われる。
【００４６】
図６の調査票選択画面の調査票リストの下部には、調査設定ボタン７５，メニュー回帰ボタン７６，撮影開始ボタン７７が表示される。調査設定ボタン７５は、これから撮影する撮影画像の調査情報を再設定するためのも端である。使用者が調査設定ボタン７５をクリックすると、調査情報入力部１９は、図４（ａ）の調査情報選択画面をタッチパネル式ディスプレイ３に表示し、前述した調査情報の入力等の処理に遷移する。メニュー回帰ボタン７６は、図３（ｄ）の初期メニュー画面へ回帰するボタンであり、使用者がメニュー回帰ボタン７６をクリックすると、調査情報入力部１９は、図３（ｄ）の初期メニュー画面をタッチパネル式ディスプレイ３に表示する。撮影開始ボタン７７は、工損調査の新たな画像を撮影する指示を入力するボタンであり、使用者が撮影開始ボタン７７をクリックすると、調査情報入力部１９は、調査票情報テーブル３８に新規の調査票情報レコードを追加して当該調査票情報レコードを選択中の調査票情報レコードとし、撮像部１１は図７（ａ）の撮影画面をタッチパネル式ディスプレイ３に表示して、新たな撮影画像の撮影が行われる。
【００４７】
図７（ａ）の撮影画面では、撮像部１１及び撮影画像表示部１３により中央にカメラ２が現在出力している撮影画像８０が取得・表示され、その画像上に、電子小黒板表示部２１が、撮影画像８０が表示された画像レイヤとは別の黒板情報表示レイヤに電子小黒板８１を表示し当該電子小黒板８０内に調査情報入力部１９により入力された黒板情報を表示する。このとき、電子小黒板表示部２１は、黒板情報テーブル３２に、当該電子小黒板８１に対する新たなレコードを追加登録する。また、撮影画面の撮影画像８０の左側には、調査票リスト表示ボタン８２及びシャッターボタン８３が表示され、撮影画面の撮影画像８０の右側には、メニュー回帰ボタン８４が表示される。メニュー回帰ボタン８４は、図６のメニュー回帰ボタン７６と同様、図３（ｄ）の初期メニュー画面へ回帰するボタンである。調査票リスト表示ボタン８２は、図６の調査票選択画面へ回帰するボタンであり、使用者が調査票リスト表示ボタン８２をクリックすると、調査情報入力部１９は、図６の調査票選択画面をタッチパネル式ディスプレイ３に表示する。シャッターボタン８３は、現在撮影画面に表示されている撮影画像８０を固定するためのボタンである。
【００４８】
ユーザがシャッターボタン８３をクリックすると、撮影画像表示部１３は、カメラ２が現在出力している撮影画像８０を撮像部１１により取得して撮影画面に固定表示する。このとき、指示マーク表示部１４は、図７（ｂ）のような指示マーク設定画面を表示する。指示マーク設定画面では、中央部に撮像部１１が取得した撮影画像８０と上述の電子小黒板８１が別レイヤとして重ねて表示され、撮影画像８０の左側に、画像保存ボタン９２、指示マーク追加ボタン８６、指示マーク削除ボタン８７、描画ボタン８８、消しゴムボタン８９が表示され、撮影画像８０の右側に、調査票リスト表示ボタン８２、撮影再開ボタン９０、メニュー回帰ボタン８４が表示される。
【００４９】
調査票リスト表示ボタン８２及びメニュー回帰ボタン８４は、図７（ａ）と同様である。また、撮影再開ボタン９０は、撮影画像８０の固定を解除するボタンであり、使用者が撮影再開ボタン９０をクリックすると、図７（ａ）の撮影画面に戻り、撮像部１１及び撮像部１１は、カメラ２が現在出力している撮影画像８０を取得して撮影画面に表示する。
【００５０】
指示マーク追加ボタン８６は、撮影画像８０上に指示マーク９１を追加表示する指示を入力するボタンである。使用者が指示マーク追加ボタン８６をクリックすると、指示マーク表示部１４は、撮影画像８０上に、新たな指示マーク９１を、撮影画像８０が表示された画像レイヤとは別の指示マーク表示レイヤとして重ねて追加表示する。それとともに、指示マーク表示部１４は、指示マーク情報テーブル３３に、追加表示した指示マークのレコードを追加する。図７では、指示マーク９１の一例として支持棒の形状の指示マークが示されているが、本発明では、指示マーク９１の形状は特に支持棒の形状には限られない。また、指示マーク表示部１４は、指示マーク追加ボタン８６がクリックされる毎に、新たな指示マーク９１を追加表示する。このとき、以前に既に表示した指示マーク９１と区別できるように、以前に既に表示した指示マーク９１とは異なる色の指示マーク９１を追加表示する。
【００５１】
使用者が、タッチパネル式ディスプレイ３上の撮影画像８０に表示された指示マーク９１上に指を置いてドラッグすると、指示マーク選択移動部１５は、それに追随して、指を置いて選択された指示マーク９１の表示位置を移動させる。これにより、使用者は、撮影画像８０内の撮影対象箇所に指示マーク９１の先端（図７（ｂ）の支持棒の先端）を移動させ、写真内の撮影対象箇所を明示することができる。例えば、撮影画像８０に建物の内壁の亀裂を撮影した場合、撮影画像８０上に２つの指示マーク９１，９１を表示させ、これらを移動させて亀裂の両端に置くことで、撮影対象箇所を明示することができる。
【００５２】
指示マーク削除ボタン８７は、撮影画像８０上に表示した指示マーク９１のうち、必要のないものを削除するための指示を入力するボタンである。使用者は、タッチパネル式ディスプレイ３上で、撮影画像８０上に表示した指示マーク９１のうち消去したいものをクリックして選択状態とした後、指示マーク削除ボタン８７をクリックすると、指示マーク表示部１４は選択された指示マーク９１の表示を消去する。それとともに、指示マーク表示部１４は、指示マーク情報テーブル３３から、消去した指示マークのレコードを削除する。
【００５３】
描画ボタン８８は、撮影画像８０上に線画を追加表示する指示を入力するボタンである。使用者が描画ボタン８８をクリックすると、指示マーク表示部１４は、タッチパネル式ディスプレイ３の表示画面上に、図７（ｃ）に示したような色選択用のパレット９３を表示する。使用者は。このパレット９３により描画色を選択し、タッチパネル式ディスプレイ３上の撮影画像８０上を指でドラッグすることにより、当該ドラッグした軌跡に追随して、指示マーク表示部１４は、当該撮影画像８０上に自由な線画を、当該撮影画像８０が表示された画像レイヤとは別の線画表示レイヤとして重ねて追加表示する。消しゴムボタン８９は、撮影画像８０上に追加表示された線画を消去する指示を入力するボタンである。使用者が消しゴムボタン８９をクリックすると、指示マーク表示部１４は、撮影画像８０上に表示された線画を消去する。
【００５４】
画像保存ボタン９２は、タッチパネル式ディスプレイ３上の撮影画像８０，電子小黒板８１，指示マーク９１，並びに前記線画を、データ記憶部１２に保存する指示を入力するボタンである。使用者が画像保存ボタン９２をクリックすると、画像コンテナ保存部１６は、タッチパネル式ディスプレイ３に、図７（ｄ）に示した保存確認画面を表示する。
【００５５】
保存確認画面では、タッチパネル式ディスプレイ３上に保存ボタン９４，９５及び編集継続ボタン９６が表示される。保存ボタン９４，９５は、現在タッチパネル式ディスプレイ３に表示されている画像レイヤ及び指示マーク表示レイヤ、黒板情報表示レイヤ、及び線画表示レイヤをデータ記憶部１２に保存する指示を入力するボタンである。
【００５６】
図７（ｄ）の保存確認画面において、保存ボタン９４がクリックされた場合、画像コンテナ保存部１６は、現在の撮影画像に新たな画像番号を付して当該画像番号を調査票情報テーブル３８の画像番号フィールドに保存するのに対して、保存ボタン９５がクリックされた場合、画像コンテナ保存部１６は、現在の撮影画像に現在の画像番号に枝番を付して当該枝番付画像番号を調査票情報テーブル３８の画像番号フィールドに保存する点が異なる。保存ボタン９４，９５がクリックされると、画像コンテナ保存部１６は、その時点でタッチパネル式ディスプレイ３に表示されている画像レイヤ及び指示マーク表示レイヤ、黒板情報表示レイヤ、及び線画表示レイヤを、マルチレイヤ画像の画像コンテナとして、データ記憶部１２の画像ファイルフォルダ３１にファイル名を付して保存する。このとき、ファイル名は撮影時刻等の情報から自動作成する。また、このとき、調査情報入力部１９は、保存された画像ファイルのファイル名を、調査票情報テーブル３８の現在選択中の調査票情報レコードの「画像ファイル名」フィールドに追加する。そして、図７（ａ）の撮影画面に戻る。
【００５７】
図７（ｄ）の保存確認画面において、編集継続ボタン９６がクリックされた場合には、撮影画像を保存せずに、図７（ｂ）の指示マーク設定画面に戻る。
【００５８】
以上のように、本実施例の工損調査支援装置では、カメラ２により撮像し撮像部１１により取得した撮影画像８０を、撮影画像表示部１３によりタッチパネル式ディスプレイ３に一旦表示させた後、指示マーク表示部１４及び指示マーク選択移動部１５によって撮影画像８０上に指示マーク９１を追加し、これらをマルチレイヤ画像として保存することとしたことで、撮影時に作業者が支持棒により撮影対象箇所を指し示す必要がなくなる。従って、工損調査の調査部位の記録写真の撮影作業を１人の作業者のみで実施することが可能となる。
【００５９】
また、電子小黒板表示部２１により撮影画像８０上に電子小黒板を重ねて表示させ、この電子小黒板画像もマルチレイヤ画像として保存することとしたことで、撮影時に小黒板を現場に置く必要が無く、工損調査の作業効率が向上する。
【００６０】
尚、本実施例に於いて、データ記憶部１２に保存した画像及び調査情報記憶部２０に保存した調査票情報は、ＳＤカード出力部１７により、ＳＤカードドライブ４のＳＤカードに、改竄防止のために暗号化して出力し保存される。この際、保存日付等の認証情報も暗号化して保存され、写真データ等の証拠能力が確保される。また、撮影時にデータ送信部１８により、
【符号の説明】
【００６１】
１  携帯端末装置
２  カメラ
３  タッチパネル式ディスプレイ
４  ＳＤカードドライブ
１１  撮像部
１２  データ記憶部
１３  撮影画像表示部
１４  指示マーク表示部
１５  指示マーク選択移動部
１６  画像コンテナ保存部
１７  ＳＤカード出力部
１８  データ送信部
１９  調査情報入力部
２０  調査情報記憶部
２１  電子小黒板表示部
２２  ユーザ登録部
２３  ユーザ情報記憶部
２４  ログイン処理部
３１  画像ファイルフォルダ
３２  黒板情報テーブル
３３  指示マーク情報テーブル
３５  調査情報テーブル
３６  物件情報テーブル
３７  建物情報テーブル
３８  調査票情報テーブル
４１  ユーザ情報テーブル
５１  ログインボタン
５２  アカウント登録ボタン
５３  登録ボタン
５４  調査開始ボタン
５５  調査再開ボタン
５６  一覧表示ボタン
５７  設定ボタン
５８  保存ボタン
５９  調査情報ボタン
６０  物件情報ボタン
６１  建物情報ボタン
６３  黒板情報入力ボタン
６４  標準黒板情報表示ボタン
６５  傾斜黒板情報表示ボタン
６６  水平黒板情報表示ボタン
６７  保存ボタン
７０  撮影画像のサムネイル
７１  調査票情報の表
７２  白板修正ボタン
７３  再撮影ボタン
７４  削除ボタン
７５  調査設定ボタン
７６  メニュー回帰ボタン
７７  撮影開始ボタン
８０  撮影画像
８１  電子小黒板
８２  調査票リスト表示ボタン
８３  シャッターボタン
８４  メニュー回帰ボタン
８６  指示マーク追加ボタン
８７  指示マーク削除ボタン
８８  描画ボタン
８９  消しゴムボタン
９０  撮影再開ボタン
９１  指示マーク
９２  画像保存ボタン
９３  パレット
９４，９５  保存ボタン
９６  編集継続ボタン
【図１】
0006537134.tif 000002
【図２】
0006537134.tif 000003
【図３】
0006537134.tif 000004
【図４】
0006537134.tif 000005
【図５】
0006537134.tif 000006
【図６】
0006537134.tif 000007
【図７】
0006537134.tif 000008